(57)【特許請求の範囲】
【請求項１】
グリッパが咬えた印刷紙を紙積台に吸引して搬送する枚葉印刷機における排紙方法において、デリバリのチェーンガイドを前記グリッパの走行方向に対して徐々に下降させながら、該グリッパが咬えた印刷紙を高速かつ連続的に紙積台に吸引して搬送し、前記グリッパが吸引車の上を通過するときには前記グリッパと吸引車との間に多少の隙間を確保し、前記吸引車が印刷紙を吸着する直前には該吸引車と印刷紙との間の間隙を無くすようにし、前記グリッパが印刷紙を放したときには該グリッパの走行による風圧で印刷紙を押し下げるようにし、前記グリッパと前記吸引車との隙間Ｓと前記グリッパと前記吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成されていることを特徴とする枚葉印刷機における印刷紙の吸引搬送方法。
【請求項２】
グリッパが咬えた印刷紙を紙積台に吸引して搬送する枚葉印刷機における排紙機構において、デリバリ胴に巻装されているチェーンガイドを紙積台の紙当方向に対して多少の傾斜角を設けて取り付け、該チェーンガイドの傾斜により印刷紙のグリッパの走行方向に対して徐々に下降させて吸引搬送するとともに、前記グリッパが吸引車の上を通過するときには前記グリッパと吸引車との間に多少の隙間を確保するように、前記吸引車が印刷紙を吸着する直前には該吸引車と印刷紙との間の間隙を無くすように、前記グリッパが印刷紙を放したときには該グリッパの走行による風圧で印刷紙を押し下げるようにし、前記グリッパと前記吸引車との隙間Ｓと前記グリッパと前記吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成されていることを特徴とする枚葉印刷機における印刷紙の排紙機構。
【発明の詳細な説明】
【０００１】
【産業上の利用分野】
本発明は枚葉印刷機における排紙機構に関するが、詳しくはグリッパが咬えた印刷紙を紙積台に吸引して搬送する枚葉印刷紙の排紙方法とその排紙機構に関するものである。
【０００２】
【従来の技術】
従来の排紙装置としては、紙の先端をグリッパーにより咥えて排紙台上部まで搬送してグリッパーが紙を解放し、該紙が落下する時にエアーシャワー装置にて紙の上方よりエアーを吹き付けるとともに紙尻は駆動回転するバキュームホイールにより吸引して前進させて排紙するよう構成したものが知られている。またエアーシャワーの位置、つまり排紙台の上方にファンモータを設置して紙をペーパーガイド上に密着させるべく構成されているものも知られている。
【０００３】
これらの従来公知の排紙装置に改良を加えたものとして図４及び図５に示すような装置が実公平４−３８００号公報で開示されている。この排紙装置は、図４に示すようにエアーシャワー装置とバキュームホイールとを具備してなる装置において、ファンモータをペーパーガイドの上方に設置し、該ペーパーガイドの上部から下方へエアーを流出させるべく構成したことによってエアーのたまりがなくなり、もって紙をパーパーガイドに確実に密着できて紙尻のバタツキを防止して排紙の安定化を図り得るようにしたことに特徴を有する。
【０００４】
このような従来公知の排紙装置は、特に両面印刷の場合にはこのようなエアーを用いることによって、裏面の印刷面にキズが入るなど印刷障害の原因にもなっていた。
【０００５】
【発明が解決しようとする課題】
かかる従来の本願出願人が改良した枚葉印刷機における排紙機構に更に改良を加えて従来の課題を更に解決しようとするところに本発明の解決課題を有する。
【０００６】
【課題を解決するための手段】
本発明は上記の如き課題を解決するために開発したものであって、グリッパが咬えた印刷紙を紙積台に吸引して搬送する枚葉印刷機における排紙方法において、デリバリのチェーンガイドを前記グリッパの走行方向に対して徐々に下降させながら該グリッパが咬えた印刷紙を高速かつ連続的に紙積台に吸引して搬送し、前記グリッパが吸引車の上を通過するときには前記グリッパと吸引車との間に多少の隙間を確保し、前記吸引車が印刷紙を吸着する直前には該吸引車と印刷紙との間の間隙を無くすようにし、前記グリッパが印刷紙を放したときには該グリッパの走行による風圧で印刷紙を押し下げるようにし、前記グリッパと前記吸引車との隙間Ｓと前記グリッパと前記吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成されていることを特徴とする枚葉印刷機における印刷紙の吸引搬送方法であり、更にグリッパが咬えた印刷紙を紙積台に吸引して搬送するとともにデリバリ胴に巻装されているチェーンガイドを紙積台の紙当方向に対して多少の傾斜角を設けて取り付け、該チェーンガイドの傾斜により印刷紙のグリッパの走行方向に対して徐々に下降させて吸引搬送するとともに、前記グリッパが吸引車の上を通過するときには前記グリッパと吸引車との間に多少の隙間を確保するように、前記吸引車が印刷紙を吸着する直前には該吸引車と印刷紙との間の間隙を無くすように、前記グリッパが印刷紙を放したときには該グリッパの走行による風圧で印刷紙を押し下げるようにし、前記グリッパと前記吸引車との隙間Ｓと前記グリッパと前記吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成されていることを特徴とする枚葉印刷機における印刷紙の排紙機構の提供にある。
【０００７】
【発明の実施の形態】
本発明の実施形態は、グリッパが咬えた印刷紙を紙積台に吸引して搬送する枚葉印刷機における排紙方法において、デリバリのチェーンガイドを前記グリッパの走行方向に対して徐々に下降させながら該グリッパが咬えた印刷紙を高速かつ連続的に紙積台に吸引して搬送し、前記グリッパが吸引車の上を通過するときには前記グリッパと吸引車との間に多少の隙間を確保し、前記吸引車が印刷紙を吸着する直前には該吸引車と印刷紙との間の間隙を無くするようにし、前記グリッパが印刷紙を放したときには該グリッパの走行による風圧で印刷紙を押し下げるようにすることを特徴とする印刷紙の吸引搬送方法であり、更に前項のグリッパと吸引車との隙間Ｓとグリッパと吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成される印刷紙の吸引搬送方法であるから、印刷紙が徐々に下降されるように構成されているので印刷紙の紙尻を吸引車が安定かつ確実に吸引することができる。
【０００８】
また本発明の実施形態は、グリッパが咬えた印刷紙を紙積台に吸引して搬送する枚葉印刷機における排紙機構においてデリバリ胴に巻装されているチェーンガイドを紙積台の紙当方向に対して多少の傾斜角を設けて取り付け、該チェーンガイドの傾斜により印刷紙のグリッパの走行方向に対して徐々に下降させて吸引搬送する印刷紙の排紙機構であるから、印刷紙の先端が下がった状態で走行されるので紙放しの際にあおられることは全くない。
【０００９】
【実施例】
以下，図面に従って本発明の実施例について説明する。
本発明は図４に図示されている枚葉印刷機における排紙装置を改良したものであり、その基本的な構造はほぼ同一であるので以下本発明の特徴のみについて説明する。
【００１０】
まず、本発明の排紙機構は図１に示すように排紙機構本体１は、デリバリ胴２に着装されているチェーンガイド３が紙積台６の紙当７方向に対して傾斜状態で取り付けられている。この状態に排紙機構本体１を取り付けることによって、チェーン４に付設されているグリッパ５が下方向に傾斜されているので、吸引車８を介してグリッパ５に咬えられた印刷紙Ｐは下向きで紙積台６の紙当７に安定かつ確実に積載されることになる。
【００１１】
次に図２で更にその関係について説明すれば、まずグリッパ５が吸引車８の上を通過するときには、従来機構の場合（ｂ１）も本発明の場合（ａ１）もグリッパ５と吸引車８との間に多少の隙間を確保することができるが、次の吸引車８が印刷紙Ｐを吸着する直前の状態になると従来機構の場合（ｂ２）は印刷紙Ｐと吸引車８との間に間隙が生じるためにファンやノズルなどのエアー源により印刷紙Ｐを押し下げられるが、本発明機構の場合（ａ２）では印刷紙Ｐと吸引車８との間には間隙が生じないために安定しかつ確実に吸引車８が印刷紙Ｐを吸着して搬送させることができる。更に、グリッパ５が印刷紙Ｐを放した状態になると従来機構の場合（ｂ３）ではグリッパ５の走行による風圧によって、印刷紙Ｐは浮き上がる方向になるのをエアー源（ファン・ノズル等）により押し下げることになるが、本発明機構の場合（ａ３）ではグリッパ５の走行による風圧は印刷紙Ｐを押し下げる方向に働くので安定でかつ確実なる紙揃えにすることができる。
【００１２】
更に、図３により本発明機構の特徴である排紙機構本体１を傾斜させたことにより安定した印刷紙Ｐの吸引搬送できる原理について説明すれば、まず
Ｓ：吸引車とグリッパの隙間（印刷紙の落差）
Ｌ：吸引車とグリッパの距離
α°：印刷紙の傾斜角度
とすると次のような方式が成り立つ。
【００１３】
α°＝ｔａｎ-1Ｓ／Ｌ
そこで、印刷紙の尻側が水平よりも多少上向きになるようにするのには次のような傾斜角が最も望しい。
α°＝０．５°〜１０°
このように従来機構の排紙方法ではエアー源（ファン・ノズル等）により印刷紙を押し下げるためにエアー圧の調整に特殊の技術を要するため、その調整が悪いと印刷紙のあばれ現象が生じて紙揃えが不良となるが本発明機構の排紙方法によれば良好な紙揃えをすることができる。
【００１４】
【発明の効果】
本発明は、グリッパが咬えた印刷紙を紙積台に吸引して搬送する枚葉印刷機における排紙方法において、デリバリのチェーンガイドを前記グリッパの走行方向に対して徐々に下降させながら該グリッパが咬えた印刷紙を高速かつ連続的に紙積台に吸引して搬送することを特徴とする枚葉印刷機における印刷紙の吸引搬送方法であり、また前記グリッパが吸引車の上を通過するときには前記グリッパと吸引車との間に多少の隙間を確保し前記吸引車が印刷紙を吸着する直前には該吸引車と印刷紙との間の間隙を無くし前記グリッパが印刷紙を放したときには該グリッパの走行による風圧で印刷紙を押し下げる枚葉印刷機における印刷紙の吸引搬送方法であり、また前記グリッパと吸引車との隙間Ｓとグリッパと吸引車との距離Ｌと印刷紙の傾斜角度α°との関係においてα°＝ｔａｎ−１Ｓ／Ｌの関係が成り立ち、該成立関係において印刷紙の尻側が水平よりも多少上向にするのにα°＝０．５°〜１０°程度の傾斜角になるように構成される枚葉印刷機における印刷紙の吸引搬送方法であり、更にグリッパが咬えた印刷紙を紙積台に吸引して搬送する枚葉印刷機における排紙機構においてデリバリ胴に巻装されているチェーンガイドを紙積台の紙当方向に対して多少の傾斜角を設けて取り付け、該チェーンガイドの傾斜により印刷紙のグリッパの走行方向に対して徐々に下降させて吸引搬送することを特徴とする枚葉印刷機における印刷紙の排紙機構であるから、従来の排紙機構よりも次のような多くの効果を有する。ア、従来の排紙機構を本発明機構のように改良することによって、従来の機構では得られない安定で確実な吸引搬送方法とその機構が得られる。イ、また同様にして印刷紙の先端部分が傾斜されているため、走行中の紙放し時に発生していたあおわれ現象が完全に解消される。ウ、更に本発明によれば、グリッパの走行中による風圧で印刷紙を押し下げる方向に働くので安定性のある紙揃えができる。
【図面の簡単な説明】
【図１】本発明の排紙機構の要部であるデリバリ部を示した説明概要図。
【図２】本発明の要部である印刷紙の吸引搬送機構を従来機構と対比させて示した一部拡大説明図。
【図３】本発明の要部である印刷紙の吸引搬送原理を示した説明概要図。
【図４】従来の排紙装置を示した説明概要図。
【図５】本発明に使用される枚葉印刷機を示した説明概要図。
【符号の説明】
１  排紙機構本体            ２  デリバリ胴
３  チェーンガイド          ４  チェーン
５  グリッパ                ６  紙積台
７  紙当                    ８  吸引車
Ｐ  印刷紙
【図１】
0004644325.tif 000002
【図２】
0004644325.tif 000003
【図３】
0004644325.tif 000004
【図４】
0004644325.tif 000005
【図５】
0004644325.tif 000006